(57)【特許請求の範囲】
【請求項１】
開口部を開閉駆動し光量を調整する光量調整手段と、該光量調整手段の前記開口部に望む所定位置に貼り付けられた光量調整フィルタとを備えた光量調整装置において、
前記光量調整手段と光量調整フィルタとを貼り付ける位置決め用の貫通した孔部若しくは切り欠き部からなる位置決め手段を、光量調整手段と光量調整フィルタの両方において、それぞれ対峙した位置で、しかも前記開口部に望む部分を避けた位置に設けたことを特徴とする光量調整装置。
【請求項２】
前記光量調整手段が複数設けられ、前記位置決め手段の孔部若しくは切り欠き部が、前記光量調整フィルタが貼り付けられた光量調整手段以外の光量調整手段により光学的に塞がれてなることを特徴とする請求項１記載の光量調整装置。
【請求項３】
前記位置決め手段の孔部若しくは切り欠き部が、光量調整手段と光量調整フィルタの両部材の対向位置に設けられた冶工具孔からなることを特徴とする請求項１又は２記載の光量調整装置。
【発明の詳細な説明】
【０００１】
【発明の属する技術分野】
本発明は、ビデオカメラ等の光学機器に装備される絞り装置等の光量調整装置であって、特に光量を減衰するためのフィルタを備えた光量調整装置に関するものである。
【０００２】
【従来の技術】
従来、例えば光量絞り装置の光量調整フィルタ、一般にＮＤフィルタ１４（ニュートラル・デンシティ・フィルタ）は、図５に示すように、絞り羽根１１に接着剤１５で貼り付けられ、絞り羽根１１の開口部１１ａから光量を減衰させるためのフィルタ使用面１４ａが所定量開口部１１ａに迫り出した状態で貼り付けられる。
【０００３】
このＮＤフィルタ１４の貼り付けは、一般に貼り付け用の冶工具４０を用いて行われている。図５（ａ）に示すように、貼り付け用冶工具４０は、その中央部に絞り羽根１１とＮＤフィルタ１４を手で押さえ、貼り付け位置を決めるための位置決め用外形を形成した突出段部４０ａを有している。（ｂ）は絞り羽根１１にＮＤフィルタ１４を貼り付けた後の状態を示したもので、その貼り付けは、まず絞り羽根１１の開口部１１ａを冶工具４０の突出段部４０ａに手で押さえながら固定し、その状態を維持させながらその上にＮＤフィルタ１４を冶工具４０の突出段部４０ａに重ねるように載置した上で、一方の手で前記絞り羽根１１とＮＤフィルタ１４の位置がずれないように保持しながら、他の手で接着剤１５をＮＤフィルタ１４の接着部１４ｍに塗布して絞り羽根１１と接合するといった手順で行っていた。
【０００４】
【発明が解決しようとする課題】
しかしながら、上記示した貼り付け用の冶工具４０を利用し、手で押さえながら行う方法では、しばしば接着の際に重ね合わせ状態にある絞り羽根１１とＮＤフィルタ１４の一方が手振れ等の原因で冶工具４０の位置決め位置からずれてしまったり、接着剤１５の乾き方にむらがあって当初の貼り付け位置からずれてしまったりして正確な位置精度を確保することが困難であった。このため、適正な光量調整を行い得ないといった問題があった。
【０００５】
そこで、本発明は、光量調整手段である絞り羽根と光量調整フィルタ（ＮＤフィルタ）との接合の際に、両者の位置ずれを起こすことなく、精度よく接合位置が決定でき、適正な光量調整を行い得る光量調整装置を提供することである。
【０００６】
【課題を解決するための手段】
上記課題を解決するために、本発明の請求項１に係る光量調整装置は、開口部を開閉駆動し光量を調整する光量調整手段と、該光量調整手段の前記開口部に望む所定位置に貼り付けられた光量調整フィルタとを備えた光量調整装置において、前記光量調整手段と光量調整フィルタとを貼り付ける位置決め用の貫通した孔部若しくは切り欠き部からなる位置決め手段を、光量調整手段と光量調整フィルタの両方において、それぞれ対峙した位置で、しかも前記開口部に望む部分を避けた位置に設けたことを特徴とする。
【０００９】
この発明によれば、光量調整手段と光量調整フィルタの両方に孔部若しくは切り欠き部の貼り付けの位置決めを設けることによって、冶工具を使用することなく位置ずれを起こさない貼り付け装着ができる。しかも、単に冶工具にあてがう場合に比べ位置ずれが規制でき、また、あてがう際の負荷による光量調整フィルタの歪みや位置ずれを抑えることができる。
【００１０】
請求項２の発明は、請求項１記載の光量調整装置において、前記光量調整手段が複数設けられ、前記位置決め手段の孔部若しくは切り欠き部が、前記光量調整フィルタが貼り付けられた光量調整手段以外の光量調整手段により光学的に塞がれてなることを特徴とする。
【００１１】
この発明によれば、位置決めのための孔部若しくは切り欠き部による開口部以外の光漏れを複数設けられた光量調整手段のみで防止することができる。
【００１２】
請求項３の発明は、請求項１又は２記載の光量調整装置において、前記位置決め手段の孔部若しくは切り欠き部が、光量調整手段と光量調整フィルタの両部材の対向位置に設けられた冶工具孔からなることを特徴とする。
【００１３】
この発明によれば、光量調整手段と光量調整フィルタの両方に対向し、冶工具孔となる孔部若しくは切り欠き部を設けることによって、貼り付け時に光量調整手段と光量調整フィルタの両方を押え込まなくても容易に貼り付けることが可能である。
【００１６】
【発明の実施の形態】
以下添付図面に基づいて、本発明に係る光量調整装置を詳細に説明する。図１は本発明の一実施例である絞り装置を示す分解斜視図である。この絞り装置は、光量調整部１０、該光量調整部１０を適宜開閉駆動する駆動部２０、該駆動部２０に外部装置から電源を供給するための接続端子部３０とから構成されている。
【００１７】
光量調整部１０は、絞り羽根１１，１２と、絞り羽根１１の開口部の適宜位置に貼り付けられ、撮り込む光量が強い場合に開口部を覆い光量を減衰させるためのＮＤフィルタ１４（ニュートラル・デンシティ・フィルタ）と、開口部１３ａ及びこの開口部１３ａを適宜開閉する絞り羽根１１，１２をスライド自在に支持する突起爪１３ｂ，１３ｃ及び駆動部２０を固定支持する折り曲げ固定部１３ｅ，１３ｇを形成した地板１３を備える。
【００１８】
前記光量調整部１０を適宜開閉する駆動部２０は、地板１３の折り曲げ固定部１３ｅ，１３ｇにより係止される係止爪２３ａと、駆動部２０の両脇から延設し、地板１３の切り欠き孔１３ｄ，１３ｆを介し絞り羽根１１，１２の作動連結スリット１１ｓ，１２ｓと係合する連動アーム２２ａ，２２ｂと、外周部２３に駆動コイルと制動コイルを重ね巻きした導電コイル２４と、その導電コイル２４の各コイル端を電気的に引き出すための口出し端子２５と、筐体内部に回動可能に支持され前記連動アーム２２ａ，２２ｂを揺動するマグネットロータ２１、該マグネットロータ２１の非作動時の位置を磁気的に決める一部側面２６ａがカットされたC字形状の磁性体からなるヨーク２６を有する。
【００１９】
前記駆動部２０に外部装置から電源を供給し適宜駆動するための接続端子部３０は、駆動部２０に半田付け固定される支持部３１に導電コイル２４の各口出し端子２５を外部電源に接続する電極パターン３２と、マグネットロータ２１の磁極に対峙しその磁気変化を検知すると共に、その時の絞り開口量を検出し適正な絞り量に制御するための制御信号を出力する磁気検出素子３３を有する。
【００２０】
以上の構造からなる絞り装置は、カメラ等の光学機器のレンズユニット内に装着され、開口部１３ａを通過する光量を絞り羽根１１，１２で絞り込むことで光量調整を行う。その際に、外光輝度が高くなるにつれ絞り込み、所定量の絞り込み位置よりＮＤフィルタ１４が光路内に入り込むことで光量を透過減衰させると共に、絞り羽根１１，１２による絞り込み量を大きくし、回折現象を防止する。
【００２１】
次に、上記絞り装置の絞り羽根１１に設けられるＮＤフィルタ１４の貼り付け構造について図２乃至図４に基づいて説明する。図２はＮＤフィルタ１４の貼り付け構造の第１の実施形態を示したもので、（ａ）は貼り付け前、（ｂ）は貼り付け後の状態を示したものである。図に示すように、冶工具４０には位置決めピン４０ｂ，４０ｃが設けられる。絞り羽根１１には前記位置決めピン４０ｂ，４０ｃに嵌合される孔１１ｂと、長孔１１ｃが形成され、ＮＤフィルタ１４にも同様に位置決めピン４０ｂ，４０ｃに嵌合し位置決めされる孔１４ｂと、長孔１４ｃが形成される。ＮＤフィルタ１４には、さらにフィルタ使用面１４ａに接着剤１５が流れ出さないように形成された溝状の接着部１４ｍを有する。図示するように冶工具４０に絞り羽根１１をセットした上でＮＤフィルタ１４を重ね合わせて保持し、接着剤１５を使ってＮＤフィルタ１４の接着部１４ｍと絞り羽根１１を接合する。しばらくそのままの状態で接着剤１５がある程度乾くまで放置し、位置ずれしないようにして完全に固着させる。
【００２２】
図３はＮＤフィルタ１４の貼り付け構造の第２の実施形態を示したもので、（ａ）は貼り付け前、（ｂ）は貼り付け後の状態を示したものである。本実施形態は上記実施形態とは異なり、冶工具４０には何の加工も施さず、絞り羽根１１に直接ＮＤフィルタ１４を貼り付ける構造のものである。図に示した冶工具４０は作業台として使用した例であり、特にこの冶工具４０を用いなくてもよい。前記絞り羽根１１には位置決め用の凸部１１ｈ，１１ｉが形成され、一方絞り羽根１１に載置されるＮＤフィルタ１４には前記凸部１１ｈ，１１ｉに嵌合される凹部１４ｄ，１４ｅが形成される。また、上記第１の実施形態で示したのと同様に、フィルタ使用面１４ａに接着剤１５が流れ出さないよう形成された接着部１４ｎを有する。接合手順はＮＤフィルタ１４の凹部１４ｄ，１４ｅを下にして、絞り羽根１１の位置決め用の凸部１１ｈ，１１ｉに重ね合わせて保持し、接着剤１５を使ってＮＤフィルタ１４の接着部１４ｎと絞り羽根１１を接着する。その後接着剤１５がある程度乾くまで放置し、位置ずれしないようして完全に固着させる。
【００２３】
図４はＮＤフィルタ１４の貼り付け構造の第３の実施形態を示したもので、（ａ）は貼り付け前、（ｂ）は貼り付け後の状態を示したものである。この実施形態は上記第２実施形態と同様に、絞り羽根１１に直接ＮＤフィルタ１４を貼り付ける構造のものであり、冶工具４０は作業台として使用した。前記絞り羽根１１には位置決め用の突起１１ｄ，１１ｅ，１１ｆ，１１ｇが４個所形成され、一方のＮＤフィルタ１４には前記位置決め用の突起１１ｄ，１１ｅ，１１ｆ，１１ｇに対応した切り欠き部１４ｇ，１４ｈ，１４ｉ，１４ｊが形成される。さらに上記第１及び第２の実施形態と同様にフィルタ使用面１４ａに接着剤１５が流れ出さないように接着部１４ｍを設けている。接合方法は、図示するようにＮＤフィルタ１４の切り欠き部１４ｇ，１４ｈ，１４ｉ，１４ｊを絞り羽根１１の位置決め用の突起１１ｄ，１１ｅ，１１ｆ，１１ｇに係合させ重ね合わせた状態に保持し、接着剤１５を使ってＮＤフィルタ１４の接着部１４ｍと絞り羽根１１を接着し、接着剤１５が乾くまで放置し、位置ずれしないようにして完全に固着させる。この第３の実施形態は上記第２の実施形態に比べ係合箇所が多いため、より安定した状態での接合でき、位置ずれも起きにくい。
【００２４】
上記図２乃至図４に示した実施形態のように、ＮＤフィルタ１４や絞り羽根１１とに貼り付け用の位置決め手段を設けるだけで精度よく、また、位置ずれを起こすことなく確実に貼り付けができる。しかもその接着作業も容易に行うことができるため、工数の低減化が図られる。
【００２５】
尚、ＮＤフィルタを光量調整手段に対して位置決めし、接合するために設けられた孔部若しくは切り欠き部等の係合部材は、通常もう一方の光量調整手段により遮蔽されるか、光量調整手段をスライド自在に支持する地板によって遮蔽され、カメラ等の開口部に光が漏れる等の問題も発生することがない。また、上記実施例では光量調整手段として開口部の開口径を絞り込む絞り羽根にＮＤフィルタを貼り付けてなるものであるが、単にＮＤフィルタを開口部に出し入れする羽根に似た形状の部材に貼り付けたものであってもよい。
【図面の簡単な説明】
【図１】本発明に係る光量調整装置の部分分解斜視図である。
【図２】本発明の第１の実施形態に係るＮＤフィルタの貼り付け構造を説明するための斜視図である。
【図３】本発明の第２の実施形態に係るＮＤフィルタの貼り付け構造を説明するための斜視図である。
【図４】本発明の第３の実施形態に係るＮＤフィルタの貼り付け構造を説明するための斜視図である。
【図５】従来のＮＤフィルタの貼り付け構造を説明するための斜視図である。
【符号の説明】
１１  絞り羽根
１１ａ  開口部
１４  光量調整フィルタ
１４ｂ，１４ｃ  孔部
【図１】
0003714852.tif 000002
【図２】
0003714852.tif 000003
【図３】
0003714852.tif 000004
【図４】
0003714852.tif 000005
【図５】
0003714852.tif 000006